(57)【要約】【課題】  原反の耳端部近傍の歪みを防止して、該原反の製品化有効幅を広げると共に、塗膜厚ムラや塗工欠点の発生を抑制できる塗工方法及び塗工機を提供する。  【解決手段】  耳端部に密着防止加工が施された原反３を巻き出して搬送しつつ、該原反３に塗布パート１ｂにて塗工液を塗布する塗工方法において、前記原反３を、前記塗布パート１ｂよりも原反搬送方向上流側となる位置で加熱する。また、該塗工方法を可能とする塗工機１は、前記原反３の加熱手段としての各加熱ロール１３，１４を有する。【選択図】  図１
2005279449.tif 000002
【特許請求の範囲】
【請求項１】
耳端部に密着防止加工が施された原反を巻き出して搬送しつつ、該原反に塗布部にて塗工液を塗布する塗工方法において、前記原反を、前記塗布部よりも原反搬送方向上流側となる位置で加熱することを特徴とする塗工方法。
【請求項２】
前記原反を、少なくとも一つの搬送ロールに巻回させた状態で加熱することを特徴とする請求項１に記載の塗工方法。
【請求項３】
耳端部に密着防止加工が施された原反を巻き出して搬送しつつ、該原反に塗布部にて塗工液を塗布する塗工機において、前記塗布部よりも原反搬送方向上流側に、前記原反を加熱する加熱手段を有することを特徴とする塗工機。
【請求項４】
前記加熱手段が前記搬送ロールであることを特徴とする請求項３に記載の塗工機。
【発明の詳細な説明】
【技術分野】
【０００１】
この発明は、原反に所定の塗工処理を行う塗工方法及び塗工機に関する。
【背景技術】
【０００２】
従来、原反表面に塗膜が形成されてなる塗工物あるいは前記原反自身等の巻き取り部材をロール巻きする際には、異物の巻き込みによる傷付きや塗膜と原反裏面とのブロッキング（密着）等による表面品質の低下を防止するために、重合する巻き込み部材同士を接触させない、あるいはこれらの接触圧を低下させるといった工夫がなされることが多い（例えば、特許文献１参照。）。
【特許文献１】特開２００２−６８５４０号公報
【発明の開示】
【発明が解決しようとする課題】
【０００３】
ところで、前記原反表面に塗膜を形成するべく所定の塗工処理を行う場合、上述の如く原反同士の接触を抑えるために、該原反の幅方向での両側端部を耳端部とし、該耳端部にローレット加工（エンボス加工）や耳端テープの挿入等の密着防止加工を施すことで、原反における耳端部間の一般部を保護することが多い。
しかしながら、前記耳端部と一般部とは互いに厚さが異なることから、一般部における耳端部と隣接する部位には歪みが生じることがある。このような歪みが発生した部位は、その塗工品質が満たされず、結果として原反の製品化有効幅を狭めるという問題がある。また、上記歪み発生部位に起因して、歪みのない部位においても塗膜厚ムラや塗工欠点等の塗工不良が発生する虞がある。
本発明は上記事情に鑑みてなされたもので、原反の耳端部近傍の歪みを防止して、該原反の製品化有効幅を広げると共に、塗膜厚ムラや塗工欠点の発生を抑制できる塗工方法及び塗工機を提供する。
【課題を解決するための手段】
【０００４】
上記課題の解決手段として、本発明は、耳端部に密着防止加工が施された原反を巻き出して搬送しつつ、該原反に塗布部にて塗工液を塗布する塗工方法において、前記原反を、前記塗布部よりも原反搬送方向上流側となる位置で加熱することを特徴とする。
【０００５】
この構成によれば、原反の耳端部にローレット加工や耳端テープの挿入等の密着防止加工が施される関係で、該原反の耳端近傍に歪みが生じることがあっても、原反を塗布部よりも原反搬送方向上流側となる位置で加熱することで、前記耳端部近傍の歪みが除去され、その後に塗布部にて原反に塗工液を良好に塗布することが可能となる。
【０００６】
また、上記塗工方法において、前記原反を、少なくとも一つの搬送ロールに巻回させた状態で加熱することで、原反の両耳端部間をその全幅に渡って良好に平坦化することが可能となる。
【０００７】
ここで、上記塗工方法において、近年需要が増加しているＴＡＣ（トリアセチルロース）フィルムへの対応を考慮すると、前記原反を５０〜８０℃に加熱することが好ましい。
【０００８】
ところで、上述の塗工方法を可能とする塗工機は、耳端部に密着防止加工が施された原反を巻き出して搬送しつつ、該原反に塗布部にて塗工液を塗布するものであって、前記塗布部よりも原反搬送方向上流側に、前記原反を加熱する加熱手段を有するものであるといえる。
【０００９】
ここで、前記加熱手段が前記搬送ロールであれば、原反との接触により該原反を効率良く加熱できると共に、別体の加熱手段を設置するためのスペースを不要とすることで塗工機の設計自由度を向上できる。
【発明の効果】
【００１０】
本発明によれば、原反の歪みを除去した後に塗工液を塗布できるため、耳端部直近まで良好な塗膜を形成することができ、原反の製品化有効幅を広げて歩留りを向上できる。また、耳端部近傍の歪みに起因する塗膜厚ムラや塗工欠点の発生を抑制して塗工品質を向上できる。
【発明を実施するための最良の形態】
【００１１】
以下、本発明の実施例を図面を参照して説明する。
図１は、この実施例における塗工機１の概略側面図であり、本図に示すように、塗工機１は、アンワインダ２にロール巻きされた例えばＴＡＣ（トリアセチルロース）フィルム等の原反３を巻き出し、これをその幅方向に延設された複数の搬送ロール４に巻回させて略均一なテンションを発生させた状態で連続的に搬送しつつ、該原反３の表面に所定の塗工処理を行った後に、これをワインダ５で再度巻き取るように構成される。なお、図１を含む各図における矢印Ｆは、原反３の搬送方向（原反幅方向と略直交する方向）を示している。
【００１２】
原反３への塗工処理は、巻き出された原反３を搬送ロール４に巻回させた状態で加熱する加熱工程と、原反３の表面（図１においては下面）にアプリケータロール（塗工液供給装置）６等により所望の塗工液の塗布を行う塗布工程と、原反３に塗布された塗工液を乾燥装置８により乾燥させる乾燥工程とを経てなるものである。このような塗工処理が施された原反３は、検反工程等を経た後にワインダ５に巻き取られて製品化される。
【００１３】
原反３への塗工液の塗布を行う塗布パート（塗布部）１ｂにおいて、アプリケータロール６と隣接する部位には、該アプリケータロール６に対して近接離反可能なメータリングロール７が設けられ、これらアプリケータロール６とメータリングロール７との協働により、アプリケータロール６の表面に所定の厚さで付着した塗工液が原反３の表面（下面）に転移される、つまり原反表面に所定の厚さを有する塗工液の塗布層が形成される。
【００１４】
図２に示すように、原反３の幅方向での両端部は耳端部１１とされる。これら両耳端部１１には、例えば図３に示すように耳端テープの挿入や、ローレット加工（エンボス加工）等の密着防止加工が施されている。この密着防止加工は、両耳端部１１をこれらの間の平坦な部位（以下、一般部１２という）よりも厚くすることで、原反３がロール巻きされた状態で重合する一般部１２を互いに接触させない、あるいは接触圧を下げるために施されたものである。これにより、原反３が巻き出し易くなると共に、その一般部１２への異物の巻き込みによる傷付き等が防止されている。
【００１５】
このような原反３への加熱を行う加熱パート１ａは、前記塗布パート１ｂよりも原反搬送方向上流側に位置している（図１参照）。加熱パート１ａにおいて、上下方向に沿うように並設された二つの搬送ロール４は、例えばジャケット化によりその内部を温水等の加熱媒体が流通することで、外周面（原反３との接触面）を所定温度（例えば５０〜８０℃）に加熱可能な上段側及び下段側加熱ロール（加熱手段）１３，１４として構成される。
【００１６】
すなわち、加熱パート１ａに搬送された原反３は、搬送ロール４である各加熱ロール１３，１４に巻回された状態で、該各加熱ロール１３，１４自身の熱により加熱されることとなる。
また、加熱パート１ａには、各加熱ロール１３，１４のアンワインダ２側（原反搬送方向上流側）及び塗布パート１ｂ側（原反搬送方向下流側）に、搬送ロール４としての上流側及び下流側バックアップロール１５，１６がそれぞれ配設される。
【００１７】
加熱パート１ａに搬送された原反３は、まず上流側バックアップロール１５を介して上方に向かって搬送された後に、上段側加熱ロール１３に上方から押し付けられるようにして巻回される。その後、下方に向かって折り返した原反３は、搬送ロール４の軸方向矢視において略Ｓ字状の搬送軌跡を描くように、下段側加熱ロール１４に下方から押し付けられるようにして巻回される。
【００１８】
そして、再度上方に向かって折り返した原反３は、下流側バックアップロール１６を介して塗布パート１ｂに向かって搬送される。なお、前述の如く原反３を各加熱ロール１３，１４に巻回させるのは、各加熱ロール１３，１４に対する原反３の抱き角を増やして伝熱時間を増やすためである。
【００１９】
図４に示すように、原反３の一般部１２における耳端部１１と隣接する部位には、互いに厚さの異なる耳端部１１と一般部１２とを同時にロール巻きしたことによる歪みｈが生じることがある。このような歪みｈは、巻き出された原反３を単に搬送ロール４に巻回させて搬送するだけでは除去されず、このままの状態で原反３に塗工処理を行っても、歪み発生箇所においては、塗膜ｔの膜厚にムラが生じる等、塗工品質が満たされないので、結果として原反３の製品化有効幅を狭めることとなる。ここで、図４において、歪みがある場合の製品化有効幅をＷ１、歪みがない場合の製品化有効幅をＷ２で示す。
【００２０】
そこで、上述の如く耳端部１１近傍に歪みが生じた原反３を、加熱パート１ａにて搬送ロール４（各加熱ロール１３，１４）に巻回させた状態で加熱することで、図５に示すように、前記歪みが除去され、原反３の一般部１２が各耳端部１１との境界部分まで平坦になる。これにより、一般部１２にその各耳端部との境界部分まで良好な塗膜ｔを形成でき、原反３の製品化有効幅を前記Ｗ２まで広げることが可能となる。
【００２１】
以上説明してきたように、上記実施例における塗工方法は、耳端部１１に密着防止加工が施された原反３を巻き出して搬送しつつ、該原反３に塗布パート１ｂにて塗工液を塗布するものであって、前記原反３を、前記塗布パート１ｂよりも原反搬送方向上流側となる位置で加熱するものである。
【００２２】
この構成によれば、原反３の耳端部１１にローレット加工や耳端テープの挿入等の密着防止加工が施される関係で、該原反３の耳端部１１近傍に歪みが生じることがあっても、原反３を塗布パート１ｂよりも原反搬送方向上流側となる位置で加熱することで、前記耳端部１１近傍の歪みが除去され、その後に塗布パート１ｂにて原反３に塗工液を塗布することが可能となる。
【００２３】
このため、耳端部１１直近まで良好な塗膜を形成することができ、原反３の製品化有効幅を広げて歩留りを向上できるという効果がある。また、耳端部１１近傍の歪みに起因する塗膜厚ムラや塗工欠点の発生を抑制して塗工品質を向上できるという効果がある。
【００２４】
また、上記塗工方法において、前記原反３を、少なくとも一つの搬送ロール４に巻回させた状態で加熱することで、原反３の両耳端部１１間をその全幅に渡って良好に平坦化することが可能となる。
【００２５】
ここで、上記塗工方法において、近年需要が増加しているＴＡＣ（トリアセチルロース）フィルムへの対応を考慮すると、前記原反３を５０〜８０℃に加熱することが好ましい。
【００２６】
ところで、上述の塗工方法を可能とする塗工機１は、耳端部１１に密着防止加工が施された原反３を巻き出して搬送しつつ、該原反３に塗布パート１ｂにて塗工液を塗布するものであって、前記原反３を、前記塗布パート１ｂよりも原反搬送方向上流側に位置する少なくとも一つの搬送ロール４に巻回させた状態で加熱する加熱手段（各加熱ロール１３，１４）を有するものであるといえる。
【００２７】
なお、本発明は上記実施例に限られるものではなく、例えば、加熱パート１ａにおいて、加熱ロールは一本または三本以上であってもよい。また、各加熱ロール１３，１４は、例えば誘電加熱により表面温度を上昇させるものであってもよい。さらに、原反３の耳端部１１近傍のみを加熱する構成であってもよい。
【００２８】
また、図６に示すように、各加熱ロール１３，１４を単なるバックアップロール１３ａ，１４ａとし、これら各バックアップロール１３ａ，１４ａに近接配置されたセラミックヒータあるいは温風ドライヤ等の加熱装置（加熱手段）１８を用いて原反３を加熱することももちろん可能であるが、このような加熱手段が搬送ロール４としての各加熱ロール１３，１４であることで、原反３との接触により該原反３を効率良く加熱できると共に、別体の加熱手段を設置するためのスペースを不要とすることで塗工機の設計自由度を向上できるという効果がある。なお、スペースがある場合には、搬送ロール４間に例えば上記のようなセラミックヒータや温風ドライヤ等の加熱装置（加熱手段）１８を設けても良く、この場合は、加熱ロール１３，１４を用いた場合における原反３との間への異物の混入の心配がない等、簡易に加熱を行うことができる。
【００２９】
さらに、原反３は、その耳端部１１に耳端テープが挿入されたものではなく、該耳端部１１にローレット加工等のエンボス加工が施されたものであってもよい。しかも、原反３はＴＡＣフィルムに限らず、加熱パート１ａにおける加熱温度を変更することで様々な原反３に適用可能である。
【００３０】
さらにまた、ファウンテン塗工法、バー塗工法、ブレード塗工法、及びエアーナイフ塗工法等の各種の塗工法に対応する塗工方法及び塗工機に応用可能である。
そして、上記実施例における構成は一例であり、発明の要旨を逸脱しない範囲で種々の変更が可能であることはいうまでもない。
【図面の簡単な説明】
【００３１】
【図１】本発明の実施例における塗工機の概略側面図である。
【図２】上記塗工機の加熱パート１ａ周辺を示す斜視図である。
【図３】図２におけるＡ−Ａ線に沿う断面図である。
【図４】図２におけるＢ−Ｂ線に沿う断面図である。
【図５】図２におけるＣ−Ｃ線に沿う断面図である。
【図６】上記加熱パート１ａの変形例を示す概略側面図である。
【符号の説明】
【００３２】
１  塗工機
１ｂ  塗布パート（塗布部）
３  原反
４  搬送ロール
１１  耳端部
１３  上段側加熱ロール（加熱手段）
１４  下段側加熱ロール（加熱手段）
１８  加熱装置（加熱手段）
【図１】
2005279449.tif 000003
【図２】
2005279449.tif 000004
【図３】
2005279449.tif 000005
【図４】
2005279449.tif 000006
【図５】
2005279449.tif 000007
【図６】
2005279449.tif 000008